(57)【要約】【課題】既設管の特定箇所の側方若しくは下方に下部密封ケースを設置するための特段のスペースを要さずに、特定箇所に密封ケースを取付けることが出来る密封ケース取付方法及び装置を提供すること。【解決手段】既設管Ｐの特定箇所Ｅ近傍の周面において周方向に沿ってガイド手段１０、１１を周設するガイド手段周設工程と、特定箇所Ｅの上部においてガイド手段１０、１１に下部密封ケース３を接続し、下部密封ケース３をガイド手段１０、１１により管軸Ｃ周りに回動して、特定箇所Ｅの下部に設置する下部密封ケース設置工程と、特定箇所Ｅの下部に設置された下部密封ケース３と上部密封ケースとを水密的に接続する密封ケース接続工程と、を有している。【選択図】図５
2007247753.tif 000002
【特許請求の範囲】
【請求項１】
既設管の特定箇所を少なくとも上下方向に分割可能な分割構造を有する密封ケースで水密的に密封する既設管の密封ケース取付方法であって、
前記既設管の特定箇所近傍の周面において周方向に沿ってガイド手段を周設するガイド手段周設工程と、前記特定箇所の上部において前記ガイド手段に下部密封ケースを接続し、該下部密封ケースを前記ガイド手段により管軸周りに回動して、前記特定箇所の下部に設置する下部密封ケース設置工程と、前記特定箇所の下部に設置された前記下部密封ケースと上部密封ケースとを水密的に接続する密封ケース接続工程と、を有していることを特徴とする既設管の密封ケース取付方法。
【請求項２】
前記ガイド手段周設工程が、前記既設管の特定箇所近傍の周面に沿ってガイドレールを固定的に周設するガイドレール周設工程と、前記下部密封ケースと接続されるとともに前記ガイドレールに沿って管軸周りに回動するガイド押輪を周設するガイド押輪周設工程と、からなることを特徴とする請求項１に記載の既設管の密封ケース取付方法。
【請求項３】
前記ガイド手段が、管軸方向における前記特定箇所の両側２箇所において夫々周設されていることを特徴とする請求項１または２に記載の既設管の密封ケース取付方法。
【請求項４】
前記下部密封ケース設置工程の後に、前記ガイド手段を取外すガイド手段取外し工程を更に有していることを特徴とする請求項１ないし３のいずれかに記載の既設管の密封ケース取付方法。
【請求項５】
前記下部密封ケース設置工程の後に、前記特定箇所の下部に設置された前記下部密封ケースを、下部密封ケース保持手段により上下動可能に保持する下部密封ケース保持工程を更に有していることを特徴とする請求項１ないし４のいずれかに記載の既設管の密封ケース取付方法。
【請求項６】
既設管の特定箇所を少なくとも上下方向に分割可能な分割構造を有する密封ケースで水密的に密封する既設管の密封ケース取付装置であって、
前記既設管の特定箇所近傍の周面において周方向に沿って周設され、前記特定箇所の上部において下部密封ケースと接続されるとともに、該下部密封ケースを管軸周りに回動するガイド手段からなることを特徴とする既設管の密封ケース取付装置。
【請求項７】
前記ガイド手段が、前記既設管の特定箇所近傍の周面に沿って固定的に周設されるガイドレールと、前記下部密封ケースと接続されるとともに前記ガイドレールに沿って管軸周りに回動するガイド押輪と、からなることを特徴とする請求項６に記載の既設管の密封ケース取付装置。
【発明の詳細な説明】
【技術分野】
【０００１】
本発明は、既設管の特定箇所を少なくとも上下方向に分割可能な分割構造を有する密封ケースで水密的に密封する既設管の密封ケース取付方法及びその装置に関する。
【背景技術】
【０００２】
従来の既設管の密封ケース取付方法及び装置は、密封ケースを構成する各分割密封ケースを、既設管の特定箇所に囲繞して夫々の分割密封ケースを水密的に接続し、この密封ケース内にて既設管の切断等の作業を行っている（例えば、特許文献１参照）。
【０００３】
【特許文献１】特開２００４−２８６２２８号公報（第８頁、第３図）
【発明の開示】
【発明が解決しようとする課題】
【０００４】
特許文献１にあっては、既設管の特定箇所を密封ケースにより密封するために、各分割密封ケースの一部を既設管の側方若しくは下方等から特定箇所に向けて設置する必要があった。しかしながら、既設管の配設場所は、地中若しくは狭隘な場所である場合が多く、このような場合に既設管の特定箇所の側方若しくは下方等に、各分割密封ケースを設置するための十分なスペースを確保することが出来ず、このスペース確保のための別段の作業手間を要していた。
【０００５】
本発明は、このような問題点に着目してなされたもので、既設管の特定箇所の側方若しくは下方に下部密封ケースを設置するための特段のスペースを要さずに、特定箇所に密封ケースを取付けることが出来る密封ケース取付方法及び装置を提供することを目的とする。
【課題を解決するための手段】
【０００６】
上記課題を解決するために、本発明の請求項１に記載の既設管の密封ケース取付方法は、既設管の特定箇所を少なくとも上下方向に分割可能な分割構造を有する密封ケースで水密的に密封する既設管の密封ケース取付方法であって、
前記既設管の特定箇所近傍の周面において周方向に沿ってガイド手段を周設するガイド手段周設工程と、前記特定箇所の上部において前記ガイド手段に下部密封ケースを接続し、該下部密封ケースを前記ガイド手段により管軸周りに回動して、前記特定箇所の下部に設置する下部密封ケース設置工程と、前記特定箇所の下部に設置された前記下部密封ケースと上部密封ケースとを水密的に接続する密封ケース接続工程と、を有していることを特徴としている。
この特徴によれば、下部密封ケースを既設管の特定箇所の上部においてガイド手段と接続し、ガイド手段により管軸周りに回動して、特定箇所の下部に設置し、該設置した下部密封ケースと上部密封ケースとを接続して密封ケースを既設管に取付けることで、特定箇所の側方若しくは下方に下部密封ケースを設置するための特段のスペースを要さずに、特定箇所に密封ケースを取付けることが出来る。
【０００７】
本発明の請求項２に記載の既設管の密封ケース取付方法は、請求項１に記載の既設管の密封ケース取付方法であって、前記ガイド手段周設工程が、前記既設管の特定箇所近傍の周面に沿ってガイドレールを固定的に周設するガイドレール周設工程と、前記下部密封ケースと接続されるとともに前記ガイドレールに沿って管軸周りに回動するガイド押輪を周設するガイド押輪周設工程と、からなることを特徴としている。
この特徴によれば、下部密封ケースが、既設管の周面に固定的に周設されたガイドレールに沿って管軸周りに回動可能なガイド押輪と接続されるため、ガイド押輪とともに安定して確実に既設管の周方向に沿って回動し、既設管の下部に設置される。
【０００８】
本発明の請求項３に記載の既設管の密封ケース取付方法は、請求項１または２に記載の既設管の密封ケース取付方法であって、前記ガイド手段が、管軸方向における前記特定箇所の両側２箇所において夫々周設されていることを特徴としている。
この特徴によれば、管軸方向における特定箇所の両側２箇所において夫々周設されているガイド手段を利用して、下部密封ケースを安定的に保持した状態で管軸周りに回動し、特定箇所の下部に設置出来る。
【０００９】
本発明の請求項４に記載の既設管の密封ケース取付方法は、請求項１ないし３のいずれかに記載の既設管の密封ケース取付方法であって、前記下部密封ケース設置工程の後に、前記ガイド手段を取外すガイド手段取外し工程を更に有していることを特徴としている。
この特徴によれば、下部密封ケースを設置した後に、使用後のガイド手段を取外すことにより、下部密封ケースが既設管の周方向に沿って動かないため、上部密封ケースとの接続が容易となるばかりか、取外したガイド手段を再使用できる。
【００１０】
本発明の請求項５に記載の既設管の密封ケース取付方法は、請求項１ないし４のいずれかに記載の既設管の密封ケース取付方法であって、前記下部密封ケース設置工程の後に、前記特定箇所の下部に設置された前記下部密封ケースを、下部密封ケース保持手段により上下動可能に保持する下部密封ケース保持工程を更に有していることを特徴としている。
この特徴によれば、特定箇所の下部に設置された下部密封ケースを下部密封ケース保持手段により上下動し、既設管と下部密封ケースとの相対位置を調整して、下部密封ケースと上部密封ケースとを確実に接続できる。特に請求項４を引用した発明においては、下部密封ケースを保持した状態でガイド手段を取外すことができるので、作業が容易で安全である。
【００１１】
本発明の請求項６に記載の既設管の密封ケース取付装置は、既設管の特定箇所を少なくとも上下方向に分割可能な分割構造を有する密封ケースで水密的に密封する既設管の密封ケース取付装置であって、
前記既設管の特定箇所近傍の周面において周方向に沿って周設され、前記特定箇所の上部において下部密封ケースと接続されるとともに、該下部密封ケースを管軸周りに回動するガイド手段からなることを特徴としている。
この特徴によれば、下部密封ケースを既設管の特定箇所の上部においてガイド手段と接続し、ガイド手段によって管軸周りに回動することで、特定箇所の側方若しくは下方に下部密封ケースを設置するための特段のスペースを要さずに、下部密封ケースを特定箇所の下部に設置出来る。
【００１２】
本発明の請求項７に記載の既設管の密封ケース取付装置は、請求項６に記載の既設管の密封ケース取付装置であって、前記ガイド手段が、前記既設管の特定箇所近傍の周面に沿って固定的に周設されるガイドレールと、前記下部密封ケースと接続されるとともに前記ガイドレールに沿って管軸周りに回動するガイド押輪と、からなることを特徴としている。
この特徴によれば、下部密封ケースが、既設管の周面に固定的に周設されるガイドレールに沿って管軸周りに回動可能なガイド押輪と接続されるため、ガイド押輪とともに安定して確実に既設管の周方向に沿って回動し、既設管の下部に設置される。
【発明を実施するための最良の形態】
【００１３】
本発明の実施例を以下に説明する。
【実施例】
【００１４】
本発明の実施例を図面に基づいて説明すると、先ず図1（ａ）〜（ｃ）は、本発明の実施例における密封ケース装着後の配管状況を示す概略図である。図２（ａ）は、既設水道管を示した正面図、（ｂ）は同じく断面図である。図３（ａ）は、既設水道管にガイドレールを取付けた側面図、（ｂ）はＡ−Ａ断面図である。図４（ａ）は、既設水道管にガイド押輪を取付けた側面図、（ｂ）はＢ−Ｂ断面図である。図５は、既設水道管の上部に下部密封ケースを取付けた正面図である。図６は、既設水道管の下部に下部密封ケースを設置した正面図である。図７は、ガイド手段を取外し下部密封ケース保持手段を設置した正面図である。図８は、既設水道管に上部密封ケースを取付ける状況を示した断面図である。
【００１５】
本発明の実施例における密封ケース装着後の配管状況について説明すると、図1（ａ）に示されるように、本発明の既設管としての上水管である既設水道管Ｐの管内流体の流下方向に対して、例えば既設水道管Ｐの一部に撤去や補修が必要な部分よりも上流側の特定箇所Ｅに、本発明の密封ケース２を既設水道管Ｐの外周面に水密的に装着し、密封ケース２内部の所定の既設水道管部分を切断して（図１（ｂ））、この特定箇所Ｅに例えば仕切体７を装着し、図１（ｃ）に示されるように、既設水道管Ｐの既設流路を遮断する構成を有している。
【００１６】
このような密封ケース２及び仕切体７を、後述のように不断水状態で設置することにより、既設水道管Ｐの特定箇所Ｅの下流側には管内流体が流下しないようにできるため、特定箇所Ｅの下流側に位置する管部分の撤去やあるいは補修等の作業が可能となる。
【００１７】
図２（ａ）、（ｂ）に示されるように、本実施例の既設水道管Ｐは、例えば既設工場内において、他の既設管と隣接するように配置されているものであって、管軸Ｃ方向に沿って上方に開口する断面視コ字状の溝部Ｍ内に配設されている。従って、既設水道管Ｐ周面の上方は開放しているが、両側方及び下方は溝部Ｍの内壁が隣接しており、既設水道管Ｐ周面の両側方及び下方においては後述する密封ケースを設置するための特段のスペースを確保できない。
【００１８】
このような状況下、本発明の密封ケースの取付方法について工程順に説明する。
【００１９】
先ず、図３（ａ）、（ｂ）に示されるように、ガイド手段を周設するガイド手段周設工程について説明する。このガイド手段周設工程は、ガイドレール周設工程と、後述するガイド押輪周設工程とからなり、ガイドレール周設工程は、既設水道管Ｐの管軸Ｃ方向における特定箇所Ｅ近傍の周面において、周方向に沿ってガイドレール１０を固定的に周設する工程をいう。ガイドレール１０は、既設水道管Ｐの外径と略同径の内径を有するリング状に構成されており、既設水道管Ｐの外方から取付可能に分割構造を有している。
【００２０】
このガイドレール１０は、管軸Ｃ方向における特定箇所Ｅの両側２箇所において夫々周設されている（図５参照）。
【００２１】
図３（ｂ）に示されるように、既設水道管Ｐに周設されたガイドレール１０は、その外面が、断面視外方に向かって凸部１０ｂ、１０ｂに形成される両側部と、凹部１０ａに形成される中央部とで構成されている。
【００２２】
また、ガイドレール１０を周設するとともに、後述する密封ケース２内面と密接して密封ケース２内部の水密性を確保する図示しないシール材を、特定箇所Ｅにおけるガイドレール１０近傍の既設水道管Ｐ外面に周方向に沿って予め周設してもよい。
【００２３】
次に、図４（ａ）、（ｂ）に示されるように、ガイド押輪周設工程は、既設水道管Ｐに周設されたガイドレール１０に沿って管軸Ｃ周りに回動可能なガイド押輪１１を周設する工程であって、ガイド押輪１１は、ガイドレール１０より若干大径のリング状であり、ガイドレール１０の外方から取付可能に分割構造を有している。
【００２４】
ガイド押輪１１は、ガイドレール１０の外径と略同径の内径を有しているとともに、内面に周方向に沿ってガイドレール１０の凹部１０ａより幅狭の摺動部１１ａを有しており、この摺動部１１ａを周方向に沿ってガイドレール１０の凹部１０ａに嵌合させてガイド押輪１１を周設させる。周設されたガイド押輪１１は、ガイドレール１０に沿って管軸Ｃ周りに回動可能となっている。
【００２５】
このガイド押輪１１は、ガイドレール１０と同様に管軸Ｃ方向における特定箇所Ｅの両側２箇所において夫々周設されている（図５参照）。
【００２６】
次に、図５に示されるように、下部密封ケース設置工程について説明すると、特定箇所Ｅの上部において、密封ケース２を構成する下部密封ケース３を図示しない重機にて溝部Ｍの上方から吊り込んだ状態にて、下部密封ケース３の接続部３ａとガイド押輪１１の接続部１１ｂとを、ボルトナット１２により周方向に沿って接続する。
【００２７】
下部密封ケース３とガイド押輪１１とは、管軸Ｃ方向における特定箇所Ｅの両側２箇所において夫々接続される。
【００２８】
下部密封ケース３の吊り込みを調整しながら、下部密封ケース３をガイド押輪１１とともにガイドレール１０に沿って管軸Ｃ周りに回動して（図示白抜矢印参照）、特定箇所Ｅの下部に設置する。このようにすることで、特定箇所Ｅの側方若しくは下方に下部密封ケース３を設置するための特段のスペースを要さずに、図６に示されるように、下部密封ケース３を特定箇所Ｅの下部に設置出来る。
【００２９】
このようにすることで、下部密封ケース３が、既設水道管Ｐの周面に固定的に周設されたガイドレール１０に沿って管軸Ｃ周りに回動可能なガイド押輪１１と接続されるため、ガイド押輪１１とともに安定して確実に既設水道管Ｐの周方向に沿って回動し、既設水道管Ｐの下部に設置される。
【００３０】
また、管軸Ｃ方向における特定箇所Ｅの両側２箇所において夫々周設されているガイドレール１０及びガイド押輪１１を利用して、下部密封ケース３を安定的に保持した状態で管軸Ｃ周りに回動し、特定箇所Ｅの下部に設置出来る。
【００３１】
次に、図７に示されるように、特定箇所Ｅの下部に設置された下部密封ケース３の下方に、下部密封ケース３を上下動可能に保持する下部密封ケース保持手段としてのジャッキ５、５を配置し、ジャッキ５、５により下部密封ケース３を保持する（図示白抜矢印参照）。
【００３２】
次に、ガイド手段取外し工程について説明すると、特定箇所Ｅの下部に設置された下部密封ケース３をジャッキ５により保持した状態において、管軸Ｃ方向における特定箇所Ｅの両側に周設したガイド押輪１１及びガイドレール１０を取外す。このようにガイド手段としてのガイド押輪１１及びガイドレール１０を取外すことができるので、取外し作業が容易で安全に行える。
【００３３】
このように下部密封ケース３を設置した後に、使用後のガイド手段としてのガイド押輪１１及びガイドレール１０を取外すことにより、下部密封ケース３が既設水道管Ｐの周方向に沿って動かないため、後述する上部密封ケース４との接続が容易となるばかりか、取外したガイド押輪１１及びガイドレール１０を再使用できる。
【００３４】
最後に、図８に示されるように、密封ケース接続工程について説明すると、上述のように特定箇所Ｅの下部に設置された下部密封ケース３の既設水道管Ｐに対する相対位置を、ジャッキ５の上下動により調整するとともに、図示しない重機にて、密封ケースを構成する上部密封ケース４を溝部Ｍの上方から吊り込み（図示白抜矢印参照）、上部密封ケース４と下部密封ケース３とを水密的に接続する。
【００３５】
このようにすることで、下部密封ケース保持手段により特定箇所Ｅの下部に設置された下部密封ケース３をジャッキ５により上下動し、既設水道管Ｐと下部密封ケース３との相対位置を調整するとともに下部密封ケース３と上部密封ケース４とを接続できるため、密封ケース２が確実に既設水道管Ｐの特定箇所Ｅを水密的に密封する。
【００３６】
また、上述したように、下部密封ケース３を既設水道管Ｐの特定箇所Ｅの上部においてガイド押輪１１と接続し、ガイド押輪１１により管軸Ｃ周りに回動して、特定箇所Ｅの下部に設置し、このように設置した下部密封ケース３と上部密封ケース４とを接続して密封ケース２を既設水道管Ｐに取付けることで、特定箇所Ｅの側方若しくは下方に下部密封ケース３を設置するための特段のスペースを要さずに、特定箇所Ｅに密封ケース２を取付けることが出来る。
【００３７】
次に、密封ケース２の両側端部において、密封ケース２内面及び既設水道管Ｐ外面と密接し、密封ケース２内部の水密性を確保する図示しないシール材を、押輪部材（図示略）を利用して周方向に沿って周設する。
【００３８】
そして、図１（ｂ）に示されるように、既設水道管Ｐの特定箇所Ｅにおいて設置された密封ケース２内部にて、既設水道管Ｐの所定箇所を図示しない管切断手段により切断し除去した後に、図１（ｃ）に示されるように、密封ケース２内部に仕切体７を設置し、既設水道管Ｐ内の流体の流れを遮断する。
【００３９】
尚、密封ケース２内部における既設水道管Ｐの切除若しくは仕切体の設置については、必ずしも上記実施例に限られず、例えば、密封ケース２内部における既設水道管Ｐの一部の管壁のみを切除するものであってもよいし、密封ケース２内部に設置する仕切体は、既設水道管Ｐ内の流れを開閉可能とする仕切弁であってもよい。
【００４０】
更に、密封ケース２の一部に別段の管路と接続可能な接続部が設けられており、この接続部により、バイパス管等の新規管を接続するものであってもよい。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、上記実施例では、本実施例のガイド手段は、ガイドレール１０とガイド押輪１１とからなり、ガイド手段周設工程が、ガイドレール１０を固定的に周設するガイドレール周設工程と、ガイドレール１０に沿って管軸Ｃ周りに回動するガイド押輪１１を周設するガイド押輪周設工程と、からなるが、例えばガイドレールに直接下部密封ケースを回動可能に支持させることで、ガイド押輪を省略してもよい。
【００４３】
また、上記実施例では、ガイド手段としてガイドレール１０とガイド押輪１１とが、管軸Ｃ方向における特定箇所Ｅの両側２箇所において夫々周設されているが、下部密封ケースを管軸周りに特定箇所の下部に設置するものであれば、必ずしも上記構成に限られず、例えば特定箇所Ｅの片側のみにおいて周設されていてもよい。
【００４４】
また、上記実施例では、既設水道管Ｐは水道管であったが、既設管の内部流体は上下水道等の液体であってもガス等の気体であってもよい。
【００４５】
また、上記実施例では、密封ケース２は、下部密封ケース３と上部密封ケース４とからなる上下方向に分割可能な分割構造体のみを示したが、更に、上部密封ケースの上部に開閉弁や仕切体の挿圧手段等が構成されるものであってもよい。
【図面の簡単な説明】
【００４６】
【図１】（ａ）〜（ｃ）は、本発明の実施例における密封ケース装着後の配管状況を示す概略図である。
【図２】（ａ）は、既設水道管を示した正面図、（ｂ）は同じく断面図である。
【図３】（ａ）は、既設水道管にガイドレールを取付けた側面図、（ｂ）はＡ−Ａ断面図である。
【図４】（ａ）は、既設水道管にガイド押輪を取付けた側面図、（ｂ）はＢ−Ｂ断面図である。
【図５】既設水道管の上部に下部密封ケースを取付けた正面図である。
【図６】既設水道管の下部に下部密封ケースを設置した正面図である。
【図７】ガイド手段を取外し下部密封ケース保持手段を設置した正面図である。
【図８】既設水道管に上部密封ケースを取付ける状況を示した断面図である。
【符号の説明】
【００４７】
２                密封ケース
３                下部密封ケース
３ａ              接続部
４                上部密封ケース
５                ジャッキ
７                仕切体
１０              ガイドレール
１０ａ            凹部
１０ｂ            凸部
１１              ガイド押輪
１１ａ            摺動部
１１ｂ            接続部
１２              ボルトナット
Ｃ                管軸
Ｅ                特定箇所
Ｍ                溝部
Ｐ                既設水道管
【図１】
2007247753.tif 000003
【図２】
2007247753.tif 000004
【図３】
2007247753.tif 000005
【図４】
2007247753.tif 000006
【図５】
2007247753.tif 000007
【図６】
2007247753.tif 000008
【図７】
2007247753.tif 000009
【図８】
2007247753.tif 000010